(57)【要約】【課題】  フィット感、ソフト感があり、洗濯によっても縫製部分がほつれたり、型崩れしたりせず、永年にわたる着用が可能で、衛生面、耐久性に優れたものとする。【解決手段】  所定幅員の１枚生地のブレード帯１を平面で螺旋状に巻回しながらブレード帯１の表裏面に配した上下の縫合糸３で縫合し、クラウン部Ｃ、つば部Ｌを一体状に縫製形成し、つば部Ｌの周縁には、柔軟性ある芯材２を封入してブレード帽子とする。一方、これの製法は、布帛を所定幅員の帯状に裁断し、連続させて長尺帯状のブレード帯１を形成し、このブレード帯１を、その一側縁に他側縁を重ね合わせるように平面で螺旋状に巻回しながらブレード帯１の表裏面に配した上下の縫合糸３で縫合し、クラウン部Ｃ、つば部Ｌを一体状に縫製するのであり、クラウン部Ｃ、つば部Ｌを一体状に縫製後に洗浄、乾燥するのである。【選択図】      図１
2005187990.tif 000002
【特許請求の範囲】
【請求項１】
所定幅員の１枚生地のブレード帯を平面で螺旋状に巻回しながらこのブレード帯の表裏面に配した上下の糸で縫合し、クラウン部、つば部を一体状に縫製形成したことを特徴とする帽子。
【請求項２】
つば部の周縁には、柔軟性ある芯材を封入してある請求項１に記載の帽子。
【請求項３】
布帛を所定幅員の帯状に裁断し、連続させて長尺帯状の１枚生地のブレード帯を形成し、このブレード帯を、その一側縁に他側縁を重ね合わせるように平面で螺旋状に巻回しながらブレード帯の表裏面に配した上下の縫合糸で縫合し、クラウン部、つば部を一体状に縫製することを特徴とした帽子の製造方法。
【請求項４】
クラウン部、つば部を一体状に縫製後に、水若しくは湯または酵素入り洗剤にて洗浄、乾燥する請求項３に記載の帽子の製造方法。
【発明の詳細な説明】
【技術分野】
【０００１】
本発明は帯状紐材（ブレード）を螺旋状に一連に縫合することでクラウン部、つば部を一体状にして形成し、独特の風合いを備えるようにした、いわゆるブレード帽子と称される帽子及びその製造方法に関する。
【背景技術】
【０００２】
従来からのいわゆるブレード帽子は、長さが例えば１３００ｍｍ、幅員が例えば５００ｍｍの布帛原反である所定の生地材を例えば２０〜３５ｍｍの幅員で裁断するとともに、その裁断された生地材夫々を筒状に縫製すると共に長尺状に連結し、この連結した筒テープ状の形成生地材をミシン機等に連続して挿入セットし、中心側から周縁側に扁平に螺旋状に巻回しながら縫製することでクラウン部、つば部を一体状にすることで形成しているものである。
【０００３】
そして、ミシン機による縫製に際しては、螺旋状の内側の形成生地材に外側の形成生地材を隣り合わせて配置して縫製作業面側からの１本の縫製糸を供給することで縫合しているのある。すなわちこの縫合に際し、１本の縫製糸を形成生地材の例えば表面側からのみで、形成生地材の一面側から、裏面側に順次に形成されたループ部分を引っ掛けるように絡めることで縫製する、裏糸がない、いわゆる１本の糸による環縫い方式によって構成しているのである。
【特許文献１】特になし
【発明の開示】
【発明が解決しようとする課題】
【０００４】
このようなブレード帽子は、芯地が無いために折り畳みが容易で、ソフトである故に、携帯性、フィット感等に優れ、好まれているのである。ただ、このブレード帽子自体は環縫い方式で縫製構成されているために、汚損時の洗濯による洗浄に際し、形成生地材自体に生じる縮みと相俟ち縫い目が解けて孔があいた状態となってしまい、これを再び着用するには困難なものとなるのである。
【０００５】
一方、一般的な布帛を素材として構成される帽子類では、裏芯地材を使用したハード感が認められるものは保形性に優れるも、汚損したときの洗浄が困難であるばかりでなく、通常使用による取扱も不便であり、しかも裏糸を使用した本縫いで構成されるために、比較的に高価なものとなっているのである。逆にブレード帽子は、上述したように環縫い方式によって構成されるために安価で、取扱性に優れてはいても、その利点を十分に発揮できるような製品とはなっておらず、しかもこれを１枚生地のブレード帯材で本縫い方式で構成し、更に製品に対する洗い加工処理を施したものは従来から全く提供されていないものである。
【０００６】
そこで本発明は叙上のような従来存した諸事情に鑑み創出されたもので、芯地が無いためにフィット感、ソフト感等があることのブレード帽子自体の利点を損なうことなく、耐洗濯性にも優れ、繰り返される洗濯によっても縫製部分がほつれることもなく、しかも型崩れもせず、永年にわたる着用が可能であり、自宅で簡単に手洗いができ、衛生面、耐久性に優れた帽子及びその帽子の製造方法を提供することを目的とする。
【課題を解決するための手段】
【０００７】
上述した課題を解決するため、本発明にあっての帽子は、所定幅員の１枚生地のブレード帯１を平面で螺旋状に巻回しながらこのブレード帯１の表裏面に配した上下の糸で縫合し、クラウン部Ｃ、つば部Ｌを一体状に縫製形成したものである。
つば部Ｌの周縁には、柔軟性ある芯材２を封入して構成することができる。
また本発明にあっての帽子の製造方法は、布帛を所定幅員の帯状に裁断し、連続させて長尺帯状の１枚生地のブレード帯１を形成し、このブレード帯１を、その一側縁に他側縁を重ね合わせるように平面で螺旋状に巻回しながらブレード帯１の表裏面に配した上下の縫合糸３で縫合し、クラウン部Ｃ、つば部Ｌを一体状に縫製することで、ブレード帽子とするものである。
更に、クラウン部Ｃ、つば部Ｌを一体状に縫製後に、水若しくは湯または酵素入り洗剤にて洗浄、乾燥して構成することができる。
【０００８】
以上のように構成された本発明に係る帽子及びその製造方法にあって、布帛を裁断した１枚生地のブレード帯１を上下の縫合糸３で、いわゆる本縫いによってクラウン部Ｃ、つば部Ｌを一体状に連続縫製することでブレード帽子を構成させるものとなり、そのためにブレード帽子としての風合いを維持したままで軽量であり、型崩れしがたく、例えば手洗いの洗浄による縫合部分のほつれ等も生じさせない。
ブレード帯１の側縁は螺旋状でクラウン部Ｃ、つば部Ｌの外表面に露呈し、切り端状となって帽子全体に螺旋状の装飾ラインを形成させる。
更に水または湯による洗浄は、ブレード帯１の生地素材自体を引き締めさせ、また、ブレード帯１自体が所定幅員の原反から裁断形成された後に連続縫製するためのバイアス処理された端縁相互の縫製部分をほつれさせず、目立たさせない。
酵素入り洗剤による洗浄は、螺旋状に巻回縫製されるブレード帯１におけるフリル状になっている切り端状の側縁が洗い晒しの半ば色落ちさせ、また房状のものとして、装飾ラインを形成させ、カジュアルな独特な印象を与えさせる。
【発明の効果】
【０００９】
本発明は以上のように１枚生地のブレード帯１を用い、これを螺旋状に巻回縫製するときに上下の縫合糸３による本縫い方式によってブレード帽子を構成するので、従来の布帛製の一般的な芯地を有する帽子に比し、裏地落とし等がないために軽量に構成でき、しかも裏地（芯地）がなくても型崩れしにくいばかりでなく、汚損した場合には手洗いによっても簡単に洗浄でき、その洗浄によってほつれることもないために衛生面にも優れ、耐久性にも富むものである。
【００１０】
また、クラウン部Ｃ、つば部Ｌ夫々が柔軟性あるものとなっているため、着用に際しどのような人頭部形状でもフィットし、被用者をして優れたフィット感を楽しむことができ、１枚生地のブレード帯１による仕立てのために極端に軽量にでき、しかもその特性によって長時間の被用によっても締め付け感、違和感、重量感等がなく、そのために被用感をあまり感じずに装用できるものである。
【００１１】
そればかりでなく、つば部Ｌの周縁には柔軟性ある芯材２が封入されていることで、保形性に優れる反面、不使用時には折り畳んで簡単にコンパクトに纏めることができ、使用勝手に優れたものとできる。
【００１２】
水若しくは湯によって、クラウン部Ｃ、つば部Ｌが一体状に縫製されている製品をいわゆる仕立て洗いするために、縫合糸３による本縫い部分をほつれさせることなく、１枚生地のブレード帯１自体を引き締めて風合い感を向上でき、ブレード帯１を連続させて長尺な１本状に縫製するときの端縁相互のバイアス処理部分に対してほつれさせることがなく、完成後にもあまり大きくそれらを目立たせることもないのである。
【００１３】
更に酵素入り洗剤にて洗浄する、いわゆるバイオ加工によっても、ブレード帯１自体が１枚生地によって形成されていることと相俟ち、房状あるいはフリル状となっている巻回縫製後のブレード帯１の切り端状の側縁が色落ち状となる螺旋配置の装飾ラインをクラウン部Ｃ、つば部Ｌ夫々の全体に付与できる利点もある。
【００１４】
尚、上記の課題を解決するための手段、発明の効果の項夫々において付記した符号は、図面中に記載した構成各部を示す部分との参照を容易にするために付したもので、図面中の符号によって示された構造・形状に本発明が限定されるものではない。
【発明を実施するための最良の形態】
【００１５】
以下図面を参照して本発明を実施するための最良の一形態を説明すると、図において示される符号１は所定の布帛、例えば長さが１３００ｍｍ、幅員が５００ｍｍの布帛原反を所定幅員例えば１５ｍｍで裁断し、バイアス態様で縫着接合することで長尺状に連続形成した帯状のブレード帯であり、このブレード帯１自体は１枚生地によって、その両側縁がいわゆる切り端状のままとなっている。そして、図３に示す工程処理を経ることで、このブレード帯１を平面的に巻回螺旋状に縫合糸３によって縫合することによりクラウン部Ｃ、つば部Ｌを一体にして全体が、裏地がない１枚生地状となっているブレード帽子が構成される。
【００１６】
ブレード帯１の巻回螺旋状の縫合は、図２に示すようにクラウン部Ｃの中心位置を一端部とし、つば部Ｌの周縁位置を他端部とするようにブレード帯１面を平面的に螺旋状に中心位置から周縁位置に至るように配置すると共に、螺旋状となるブレード帯１における螺旋の周縁側に配される一側縁部分が、螺旋の中心側に位置するブレード帯１の他側縁部分に重ね合わせた状態で表裏に配される上糸、下糸等の縫合糸３による、いわゆる本縫い方式で縫合部線で縫製されるものとしてある。このとき螺旋の中心側に位置するブレード帯１に対して、螺旋の周縁側に位置するブレード帯１を上方に重ね合わせて順次に縫合糸３によって縫合することで、完成品にあっての裏側で作業するものとなり、逆に下方に重ね合わせて順次に縫合することで、完成品にあっての表側で作業するものとなり、これらの縫合作業の内容はいずれも任意に選択できる。
【００１７】
またクラウン部Ｃの中心では、螺旋の中心側では一側縁を襞折りにして部分的に重ね合わせてほぼ長方形状に巻回的に配置しながら周縁側に至るに従い次第に丸味を呈するように順次に巻回し、クラウン部Ｃの頂天部分から周壁部分にかけて螺旋角度を変更してボックス状に形成し、また周壁部分からつば部Ｌにかけて螺旋角度を変更して周縁に至るようにほぼ平坦状に形成し、周縁部分ではその外形がほぼ円形状を呈するように螺旋の内側部分に二重あるいは三重に重ね合わせることで縫合して端末処理をする。
【００１８】
この端末処理に際し、周縁部分の内部に柔軟性ある所定径の細線材製の芯材２を封入することで周縁部分の保形性を維持できるようにしてあり、芯材２としては例えば屈曲性に富み、容易には折損することがない例えばポリエチレン樹脂等の合成樹脂材製の直径が例えば７〜８ｍｍ程度の細線材が使用されるも、所定の金属材製の番線材が使用されることもある。
【００１９】
このようにして縫製されることでブレード帽子の表面では、１枚生地のブレード帯１の一側縁がその中心側では周縁側に対して上方に配置されているようにして重ねられ、側縁部が房状ないしはフリル状となっている。
【００２０】
また、以上のようにして縫製された後に水または湯で洗浄し、この洗浄後に乾燥させるのであり、その洗浄に際し、場合によってはいわゆる酵素を含有した洗剤を使用して洗浄される（バイオ加工）ことが好ましく、酵素入り洗剤は公知の各種のものが適用可能である。この洗浄によってブレード帯１における縫合部線より周縁側であるフリル部分の側縁は、いわば洗い晒しのように毛羽立ち、ブレード帯１自体が備えている原反布帛の染色に比し白っぽくなることで、螺旋状の装飾ラインを兼ねたものとすることができる。尚、この洗浄工程によっても、螺旋状に巻回縫製されたブレード帯１自体は前述のようにいわゆる本縫い処理されているために、その縫合糸３による縫合部位がほつれることがなく、縫合形態をそのまま維持している。
【図面の簡単な説明】
【００２１】
【図１】本発明を実施するための最良の一形態を示す要部拡大図を含む斜視図である。
【図２】同じく縫製工程中における平面図である。
【図３】同じく工程概略図である。
【符号の説明】
【００２２】
Ｃ…クラウン部                          Ｌ…つば部
１…ブレード帯                          ２…芯材
３…縫合糸
【図１】
2005187990.tif 000003
【図２】
2005187990.tif 000004
【図３】
2005187990.tif 000005